【事件の表示】
　平成　６年特許願第１９０２７８号「皮膚外用剤」拒絶査定不服審判事件〔平成　８年　２月２７日出願公開、特開平　８−　５３３３４〕について、次のとおり審決する。
【結　論】
　本件審判の請求は、成り立たない。
【理　由】
１．手続の経緯
　本願は、平成６年８月１２日の出願（特願平６−１９０２７８号）であって、平成１５年４月２３日付で拒絶査定がなされ、これに対し、同年５月２９日に拒絶査定に対する審判請求がなされるとともに、平成１５年６月２７日付で手続補正がなされたものである。
　
２．平成１５年６月２７日付の手続補正についての補正却下の決定
［補正却下の決定の結論］
　　平成１５年６月２７日付の手続補正を却下する。
［理由］
　当該補正において特許請求の範囲に新たに請求項４「皮膚老化防止用である請求項１〜３のいずれか１項記載の皮膚外用剤」が追加された。このような請求項を増加する補正は特許法第１７条の２第３項の１〜４号の何れにも該当しない。
　したがって、本件補正は特許法第１７条の２第４項で準用する同法第１２６条第１項の規定に違反するものであり、特許法第１５９条第１項で準用する特許法第５３条第１項の規定により却下されるべきものである。
　
３．本願発明について
（１）本願発明
　平成１５年６月２７日付の手続補正は上記のとおり却下されたので、本願の特許請求の範囲は、平成１４年２月８日付手続補正書のとおりのものであり、その請求項１に係る発明は、請求項１に記載された事項により特定される、以下のとおりのものである。（以下、同項記載の発明を「本願発明」という。）
　
「次の成分（Ａ）及び（Ｂ）：
（Ａ）次の一般式（１）
【化１】（略）
〔式中、Ｒ1は水酸基で置換されていてもよい炭素数１〜４０の直鎖、分岐鎖若しくは環状の炭化水素基を示し、Ｒ2、Ｒ3、Ｒ4、Ｒ5及びＲ6は、同一又は異なって、水素原子又は水酸基で置換されていてもよい炭素数１〜２０の炭化水素基を示し、Ｘは−Ｏ−又は−ＣＯ−Ｏ−（但し、カルボニル基はＲ1と結合する）を示す〕で表わされるアミン誘導体及びその酸付加塩から選ばれる一種又は二種以上、
（Ｂ）ポリアンテス属（Ｐｏｌｉａｎｔｈｅｓ　Ｌ．）に属する植物のカルス由来の酸性ヘテロ多糖類を含有する皮膚外用剤。」
　
（２）引用例の記載の概要
１．特開平６−４０８８５号公報（以下、引用例アという。）
(ア-1)「下記一般式（１）
【化１】（略）
（式中、Ｒ1は炭素数４〜４０の直鎖、分岐鎖又は環状の飽和又は不飽和の炭化水素基を示す。Ｒ2、Ｒ3、Ｒ4、Ｒ5及びＲ6はそれぞれ水素原子又は１若しくは２以上の水酸基が置換していてもよい炭素数１〜１０の炭化水素基を示す。）で表わされるアミン誘導体又はその酸付加塩からなるしわ改善剤。」（【請求項１】、２頁１欄２〜１７行）
(ア-2)「本発明のしわ改善剤は、内服、外用その他いずれの方法によっても投与可能であるが、外用剤として皮膚に適用するのが好ましい。」（段落【００１７】、３頁３欄４２〜４４行）
(ア-3)「本発明の老化防止化粧料には、前記アミン誘導体の他に、通常の化粧料、医薬部外品、医薬品等に用いられている各種任意成分、例えば油剤、保湿剤、増粘剤、防腐剤、乳化剤、紫外線吸収剤、抗炎症剤、美白剤、顔料、薬効成分、粉体、pH調整剤、抗酸化剤、香料、乳化安定剤等を必要に応じて適宜配合することができる。」（段落【００２０】、３頁４欄３８〜４４行）
(ア-4)「本発明のしわ改善剤及び老化防止化粧料は、しわの発生を抑制し、また、しわを消滅させる効果に優れたものである。」（段落【００２１】、４頁５欄１〜３行）
　
２．特開平５−１９４１８５号公報（以下、引用例イという。）
(イ-1)「下記一般式（１）
【化１】（略）
（式中、Ｒ1は炭素数４〜４０の直鎖、分岐鎖、又は環状の飽和若しくは不飽和の炭化水素基を示す。Ｒ2、Ｒ3、Ｒ4、Ｒ5、及びＲ6はそれぞれ水素原子、又は１個若しくは２個以上の水酸基が置換していてもよい炭素数１〜１０の炭化水素基を示す。）で表わされるアミン誘導体又はその酸付加塩からなる角化改善剤。」（【請求項１】、２頁１欄２〜１７行）
(イ-2)「本発明の角化改善剤は皮膚外用剤に配合される。皮膚外用剤は、薬用皮膚外用剤、化粧薬用皮膚外用剤、化粧料等の種々の使用形態をとることができる。」（段落【００２１】、４頁５欄３１〜３３行）
(イ-3)「また、化粧料として使用する場合は、化粧料成分として一般に使用されている油分、保湿剤、紫外線吸収剤、アルコール類、キレート剤、pH調整剤、防腐剤、増粘剤、色素、香料等を任意に組み合わせて配合することができる。」（段落【００２３】、４頁５欄４５〜４８行）
(イ-4)「本発明の角化改善剤及び皮膚外用剤は、紫外線その他種々の因子の影響による不全角化、表皮肥厚、脂質代謝異常などに対し顕著な抑制作用を有しており、ひいては、皮膚の正常な機能を回復させ、かつ恒常性の維持に資するものであり、特に優れた抗フケ効果や日焼け後の肌の改善効果を有する。」（段落【００２５】、４頁６欄２８〜３３行）
　
３．特開平５−３３１０３８号公報（以下、引用例ウという。）
(ウ-1)「次の成分（Ａ）〜（Ｄ）：（Ａ）ポリアンテス属（Ｐｏｌｉａｎｔｈｅｓ Ｌ．）に属する植物のカルス由来の酸性ヘテロ多糖類（Ｂ）カルボキシビニルポリマー又はその塩（Ｃ）多価アルコール（Ｄ）粘度が１００ｃｓ以下のシリコーン油を含有する皮膚外用剤。」（【請求項１】、２頁１欄２〜８行）
(ウ-2)「従来、カルボキシビニルポリマーとグリセリン等の保湿剤からなるゲル状化粧料は、その高い含水率、特有の肌ざわり等を有することから、一般にフェイシャル用、頭髪用、ボディ用として用いられてきた。
　しかし、高い保湿力を持たせるため、これら保湿剤を多量に配合すると、べたつきが多くなり、乾きも遅く、使用感も悪いという欠点が生じてしまう。
　この問題を解決するために、シリコーンを配合し、べたつきを低減する試みがなされている（特開昭６３−２７０６１４号公報）。しかしながら、このものは保湿性が十分ではなかった。また、高粘度シリコーンを配合したもの（特開平１−２５０３０５号公報）も試みられているが、これは使用時ののびが重いという欠点があった。
・・・
　斯かる実状に鑑み本発明者らは鋭意研究を行なった結果、特定の酸性ヘテロ多糖類、カルボキシビニルポリマー、多価アルコール及び特定粘度のシリコーン油を配合した皮膚外用剤が、保湿効果及びのびの良さに加え、コクのある使用感を有し、かつ乾き際のべたつきがなく、更に乾燥後、皮膚表面に高い平滑性を与え、しっとり、すべすべした感触を与えるものであることを見い出し本発明を完成した。」（段落【０００２】〜【０００４】、【０００６】、２頁１欄１９〜４６行）
(ウ-3)「保湿効果に優れ、コクのある使用感を有し、かつ乾き際のべたつきがなく、更に乾燥後、皮膚表面に高い平滑性を与え、しっとり、すべすべした感触を与えることができる。」（段落【００１６】、３頁４欄３０〜３３行）
　
４．特開平５−３３９１４１号公報（以下、引用例エという。）
(エ-1)「ポリアンテス属に属する植物のカルス由来の酸性ヘテロ多糖類を含有することを特徴とする肌荒れ防止剤。」（【請求項１】、２頁１欄２〜４行）
(エ-2)「ポリアンテス属に属する植物のカルス由来の酸性ヘテロ多糖類が外界の刺激より皮膚を保護して、角化の亢進を抑制し、皮膚への密着性が高く、かつ皮膚への刺激がなく、これを配合すれば肌荒れの防止及び改善効果に優れ、安全性の高い肌荒れ防止剤が得られることを見出し、本発明を完成した。」（段落【０００７】、２頁２欄１４〜２０行）
(エ-3)「本発明の肌荒れ防止剤は、皮膚への密着性が高く、皮膚に対する外界からの刺激を遮断し、皮膚のターンオーバー日数を長くすることができるため、肌荒れ、特に炎症を伴った肌荒れの防止及び改善に有効であり、かつ皮膚への刺激もなく、安全性の高いものである。」（段落【００１８】、３頁４欄２６〜３１行）
　
（３）対比
　そこで本願発明と引用例アのしわ改善剤（摘記事項(ア-1),(ア-4)）を配合した皮膚外用剤（摘記事項（ア-2））とを対比すると，本願発明のアミン誘導体と引用例アのアミン誘導体（摘記事項(ア-1)）は重複しているから、両者はアミン誘導体及びその酸付加塩を含有する皮膚外用剤である点で一致し、本願発明は、ポリアンテス属（Ｐｏｌｉａｎｔｈｅｓ　Ｌ．）に属する植物のカルス由来の酸性ヘテロ多糖類をさらに含有する点で引用例アに記載された発明と相違する。
　また、本願発明と引用例イの角化改善剤（摘記事項(イ-1),(イ-4)）を配合した皮膚外用剤（摘記事項（イ-2））とを対比すると、上記と同様の一致点、相違点が存在する。
　
（４）判断
　引用例アには「本発明の老化防止化粧料には、前記アミン誘導体の他に、通常の化粧料、医薬部外品、医薬品等に用いられている各種任意成分、例えば・・・保湿剤・・・を必要に応じて適宜配合することができる。」（摘記事項(ア-3)）こと、引用例イには「化粧料として使用する場合は、化粧料成分として一般に使用されている・・保湿剤を任意に組み合わせて配合することができる。」（摘記事項(イ-3)）がそれぞれ記載されている。
　一方引用例ウには「ポリアンテス属（Ｐｏｌｉａｎｔｈｅｓ　Ｌ．）に属する植物のカルス由来の酸性ヘテロ多糖類がカルボキシビニルポリマーとグリセリン等の保湿剤の欠点を有しないものであって、保湿効果に優れ、コクのある使用感を有し、かつ乾き際のべたつきがなく、更に乾燥後、皮膚表面に高い平滑性を与え、しっとり、すべすべした感触を与えることができるものである（摘記事項(ウ-3)）ことが記載され、引用例エにも該酸性ヘテロ多糖類が外界の刺激より皮膚を保護して、角化の亢進を抑制し、皮膚への密着性が高く、かつ皮膚への刺激がなく、肌荒れの防止及び改善効果に優れ、安全性の高い肌荒れ防止剤が得られる」（摘記事項(エ-1),(エ-2),(エ-3)）ものであるとされている。
　そうすると、引用例ア又はイのアミン誘導体を含有する皮膚外用剤に配合する保湿剤として引用例ウ及びエに記載されているポリアンテス属（Ｐｏｌｉａｎｔｈｅｓ　Ｌ．）に属する植物のカルス由来の酸性ヘテロ多糖類を採用することは当業者であれば容易になし得たことである。
　本願の明細書には、併用により、相乗的に保湿及び肌荒れ予防・改善、しわの予防・改善、シミ・ソバカスの消失等の皮膚老化防止効果を発現する（段落【００４２】、【発明の効果】）とされているが、上記のとおり（Ａ）成分にはシワ改善、皮膚老化防止、角化改善、（Ｂ）成分には保湿、コクのある使用感、肌荒れ防止など皮膚外用剤として好ましい作用があることが知られているのであるから、単独使用の場合より好ましい効果が得られることは当業者が容易に予測できることである。
　請求人は、シミ、ソバカスの消失については引用例に記載がないとするが、シミ、ソバカスは「老化防止」の観点から重要な要素である上、視覚により容易に観察可能な変化である以上、（Ａ）（Ｂ）成分を含む化粧料の一定期間使用後にこれらが消失したか否かは使用者が容易に気づく効果であって、格別顕著な効果と評価することはできない。
　
　したがって、本願発明は引用例ア、ウ、エ又は引用例イ、ウ、エに記載された発明に基づいて、当業者が容易に発明をすることができたものである。
　
（５）むすび
　以上のとおり、本願発明は引用例ア、ウ、エ又はイ、ウ、エに記載された発明に基づいて、当業者が容易に発明をすることができたものであるから特許法第２９条第２項の規定により特許を受けることができないものである。　よって、結論のとおり審決する。